(57)【要約】【課題】  機器操作用の複数個の入力手段を設けた固定用具を提供する。【解決手段】  シートベルト１には入力手段である選曲スイッチＧ１、Ｇ２、早送り又は巻戻しスイッチＧ３、Ｇ４、開始スイッチＧ５、停止スイッチＧ６を有する操作スイッチ２が設けられている。操作スイッチ２は例えばカーオーディオなどをリモート操作するものである。選曲スイッチＧ１、Ｇ２、早送り又は巻戻しスイッチＧ３、Ｇ４、開始スイッチＧ５、停止スイッチＧ６はシートベルトの長さ方向（図示Ｘ方向）に間隔をおいて配置されている。【選択図】  図１
2006076439.tif 000002
【特許請求の範囲】
【請求項１】
座席に身体や物品を固定するシートベルトの内部に複数個の入力手段が設けられていることを特徴とする固定用具。
【請求項２】
前記シートベルトに、出力手段又は出力手段に接続される接続部が設けられている請求項１記載の固定用具。
【請求項３】
前記入力手段と、前記出力手段又は前記接続部に接続される信号伝達手段が外装部材に覆われ、前記入力手段と電気的に接続している配線端部と前記信号伝達手段の端部が共通の支持部材に固定されている請求項２記載の固定用具。
【請求項４】
前記入力手段と電気的に接続している配線端部と前記信号伝達手段の端部が単一のプラグ端子に接続されている請求項２または３記載の固定用具。
【請求項５】
前記入力手段は複数個のスイッチからなるスイッチ集合体が抵抗部を介して複数個接続されている請求項１ないし４のいずれかに記載の固定用具。
【請求項６】
前記入力手段が前記基板上に設けられた平面形状の導電体及び絶縁体からなる押圧型のスイッチを有している請求項１ないし５のいずれかに記載の固定用具。
【請求項７】
座席に身体や物品を固定するシートベルトの内部に出力手段又は出力手段に接続される接続部が設けられていることを特徴とする固定用具。
【請求項８】
入力手段、出力手段又は出力手段に接続される接続部のうちいずれか一つ以上が設けられた保持部材が、座席に身体や物品を固定する前記シートベルト上を覆っており、前記保持部材がシートベルトに沿って移動可能となっていることを特徴とする固定用具。
【請求項９】
前記出力手段が音声発生手段である請求項２ないし８のいずれかに記載の固定用具。
【請求項１０】
前記出力手段が振動発生手段である請求項２ないし８のいずれかに記載の固定用具。
【請求項１１】
前記シートベルトまたは保持部材に音声入力手段が設けられている請求項１ないし１０のいずれかに記載の固定用具。
【発明の詳細な説明】
【技術分野】
【０００１】
本発明は乗り物の座席に設けられたシートベルトなどの固定用具に係り、特に、前記シートベルトに機器操作用の入力手段が設けられた固定用具に関する。
【背景技術】
【０００２】
乗り物の座席に設けられたシートベルトなどの固定用具にマイクロホンなどの音声入力手段を設けることは特許文献１（特開２００１−７１８６２号公報）や特許文献２（特開２００２−１３７６９７号公報）に記載されている。
【特許文献１】特開２００１−７１８６２号公報
【特許文献２】特開２００２−１３７６９７号公報
【発明の開示】
【発明が解決しようとする課題】
【０００３】
しかし、これまでシートベルトに機器操作用の複数個の入力手段を設けた固定用具は提案されていなかった。
【課題を解決するための手段】
【０００４】
本発明の固定用具は、座席に身体や物品を固定するシートベルトの内部に複数個の入力手段が設けられていることを特徴とするものである。
【０００５】
本発明では前記シートベルトに前記入力手段が設けられているため、シートベルトによって座席に固定され、動作が制限されている使用者（装着者）が電子機器を容易かつ安全に操作することができる。
【０００６】
前記シートベルトは装着者の身体に密着している。すなわち、装着者の近傍にある前記シートベルトに、出力手段又は出力手段に接続される接続部が設けられていることが好ましい。
【０００７】
また、前記入力手段と、前記出力手段又は前記接続部に接続される信号伝達手段が外装部材に覆われ、前記入力手段と電気的に接続している配線端部と前記信号伝達手段の端部が共通の支持部材に固定されていることが好ましい。
【０００８】
さらに、前記入力手段と電気的に接続している配線端部と前記信号伝達手段の端部が単一のプラグ端子に接続されていることが好ましい。
【０００９】
また、前記入力手段は複数個のスイッチからなるスイッチ集合体が抵抗部を介して複数個接続されていることが好ましい。
【００１０】
この構成により、一つの操作に対応するスイッチが近傍に複数個存在することになるので、機器に目的の操作を確実に命じることができる。
【００１１】
なお、前記入力手段として、前記基板上に設けられた平面形状の導電体及び絶縁体からなる押圧型のスイッチを有することができる。
【００１２】
また、本発明は、座席に身体や物品を固定するシートベルトの内部に出力手段又は出力手段に接続される接続部が設けられていることを特徴とするものである。
【００１３】
あるいは、本発明は、入力手段、出力手段又は出力手段に接続される接続部のうちいずれか一つ以上が設けられた保持部材が、座席に身体や物品を固定する前記シートベルト上を覆っており、前記保持部材がシートベルトに沿って移動可能となっていることを特徴とするものである。
【００１４】
本発明では、使用者の使用状況や体格に応じて、入力手段、出力手段又は出力手段に接続される接続部をシートベルト上の任意の位置に配置することができる。
【００１５】
前記出力手段は例えば、イヤホンやスピーカなどの音声発生手段や携帯電話の着信を知らせる振動発生手段である。
【００１６】
本発明では、前記シートベルトまたは保持部材に、マイクロホンなどの音声入力手段が設けられていてもよい。
【発明の効果】
【００１７】
本発明では前記シートベルトに前記入力手段が設けられているため、シートベルトによって座席に固定され、動作が制限されている使用者（装着者）が電子機器を容易かつ安全に操作することができる。
【発明を実施するための最良の形態】
【００１８】
図１は本発明の固定用具の実施の形態のシートベルトを説明するための模式図である。このシートベルトは自動車などの座席に備え付けられているものであり、搭乗者（シートベルトの装着者）を座席に安全に固定するためのものである。
【００１９】
シートベルト１は装着者の体格に応じて、巻き取り部４から必要な長さだけ引き出せるようになっている。装着者は座席に座った状態で、シートベルト１を上体部の前方に引き回し、固定端部１ｂをソケットなどに差し込み固定する。
【００２０】
シートベルト１には入力手段である選曲スイッチＧ１、Ｇ２、早送り又は巻戻しスイッチＧ３、Ｇ４、開始スイッチＧ５、停止スイッチＧ６を有する操作スイッチ２が設けられている。操作スイッチ２は例えばカーオーディオなどをリモート操作するものである。選曲スイッチＧ１、Ｇ２、早送り又は巻戻しスイッチＧ３、Ｇ４、開始スイッチＧ５、停止スイッチＧ６はシートベルトの長さ方向（図示Ｘ方向）に間隔をおいて配置されている。
本実施の形態のように、シートベルトに操作スイッチ２が設けられているため、シートベルトによって座席に固定され、動作が制限されている使用者（装着者）がカーオーディオなどの電子機器を容易かつ安全に操作することができる。自動車の後部座席は車載用電子機器の操作部から離れていることが多いので、入力装置２が設けられているシートベルトを自動車の後部座席に設けると特に便利である。
【００２１】
操作スイッチ２は、後に詳しく説明するが基板上に設けられた平面形状の導電体及び絶縁体からなる押圧型スイッチを有している。また、選曲スイッチＧ１、Ｇ２、早送り又は巻戻しスイッチＧ３、Ｇ４、開始スイッチＧ５、停止スイッチＧ６は各々複数個の押圧型スイッチからなるスイッチ集合体であり、これらのスイッチ集合体が抵抗部を介して接続されている。
【００２２】
この構成により、一つの操作に対応するスイッチが近傍に複数個存在することになるので、機器に目的の操作を確実に命じることができる。
【００２３】
図２は図１に示されたシートベルト１の部分分解斜視図である。
本発明の入力手段である操作スイッチ２は外装部材８に覆われている。操作スイッチ２（図２では選曲スイッチＧ１、Ｇ２のみ図示している）と電気的に接続している配線端部２０ｇとオーディオ線７の端部７ａが共通の支持部材９に固定されている。さらに、配線端部２０ｇとオーディオ線７の端部７ａは単一のプラグ端子１０に接続されている。オーディオ線７はイヤホン６又はイヤホン６が接続される接続部（図示せず）につながっている。
【００２４】
プラグ端子１０は車体に設けられた電子機器との接続端子部（図示せず）に嵌合装着される。本実施の形態では、プラグ端子１０と端子接続部４を接続するだけで、操作スイッチ２とオーディオ線７の全てを同時に、車載用回路に接続することができる。
【００２５】
なお、オーディオ線７はフレキシブル基板上に形成された平型導電体であってもよい。
図２に示されるように、選曲スイッチＧ１、Ｇ２は絶縁体を介して対向する一対の導電体を有する積層体２０が合成樹脂の成型品である保持部材２１内に保持されている。本実施の形態では、保持部材２１は二つ折可能となっており、上部２１ａと下部２１ｂの間に積層体２０とオーディオ線７が狭持されている。保持部材２１の上部２１ａには窓部２１ｃが開口されていて、この窓部２１ｃ内に押圧部２２が形成されている。
【００２６】
図３は図２に示された選曲スイッチＧ２を３−３線で切断し矢印方向から見た部分断面図である。なお、図３では外装部材８の図示を省略している。
【００２７】
図３に示されるように、積層体２０では、導電体２０ｂと導電体２０ｃが樹脂などからなる絶縁体２０ｅを介して対向しており、導電体２０ｂはフレキシブル絶縁体２０ａに固定され、導電体２０ｃはフレキシブル絶縁体２０ｄに固定されている。この積層体２０が保持部材２１の上部２１ａと下部２１ｂの間に狭持されている。保持部材２１の上部２１ａに設けられた窓部２１ｃ内に押圧部２２が形成されており、押圧部２２は保持部材２１の上部２１ａを支点として撓むことができる。押圧部２２に押圧力を加えて撓ませると、押圧部２２がフレキシブル絶縁体２０ａと導電体２０ｂを押圧する。すると、フレキシブル絶縁体２０ａと導電体２０ｂが撓んで、導電体２０ｂと導電体２０ｃが接触して通電する。押圧部２２と押圧部２２の下に位置するフレキシブル絶縁体２０ａ、導電体２０ｂ、導電体２０ｃ、フレキシブル絶縁体２０ｄが一つの押圧型スイッチ２３を構成しており、押圧型スイッチ２３が並列に複数個（例えば２個から６個）接続されたスイッチ集合体が選曲スイッチＧ２となる。
【００２８】
なお、選曲スイッチＧ１も選曲スイッチＧ２と同様の押圧型スイッチが、並列に複数個接続されているスイッチ集合体である。後に詳しく説明するが選曲スイッチＧ１と選曲スイッチＧ２は抵抗部を介して並列接続されている。
【００２９】
また、早送り又は巻戻しスイッチＧ３、Ｇ４の構造も選曲スイッチＧ１、Ｇ２と同様なので説明を省略する。早送り又は巻戻しスイッチＧ３、Ｇ４は選曲スイッチＧ１、Ｇ２と抵抗部を介して並列接続されている。
【００３０】
図２に示されるように、保持部材２１は外装部材８によって包まれており、選曲スイッチＧ２であることを示す表示部８ａや選曲スイッチＧ１であることを示す表示部８ｂが表面に設けられている。
【００３１】
本実施の形態では表示部８ａの周辺に選曲スイッチＧ２を構成する押圧型スイッチ２３が複数個存在している。選曲スイッチＧ２を構成する押圧型スイッチ２３のいずれが操作されても同種のチャンネル操作が行なわれるので機器に目的の操作を確実に命じることが容易になる。
【００３２】
選曲スイッチＧ１でも同様に、これを構成している複数の押圧型スイッチのいずれを押しても目的の操作が行なわれる。早送り又は巻戻しスイッチＧ３、Ｇ４でも同様である。
【００３３】
また、図２に示されるように、積層体２０が延長されて操作スイッチ２の配線端部２０ｇとなっている。本実施の形態では、本発明の入力手段である操作スイッチ２の配線端部２０ｇ、出力手段であるイヤホン６が接続されるオーディオ線７の端部７ａが共通の支持部材９に固定されている。
【００３４】
さらに、配線端部２０ｇ、オーディオ線７の端部７ａが単一のプラグ端子１０に接続されている。オーディオ線７はプラグ端子１０の第１部位１０ａに接続され、配線端部２０ｇの導電体２０ｂはプラグ端子１０の第２部位１０ｂに接続され、配線端部２０ｇの導電体２０ｃはプラグ端子１０の第３部位１０ｃに接続されている。なお、プラグ端子１０の第３部位１０ｃはアース接続されるグランド端子である。また、オーディオ線７にアース線を設けてこのアース線をプラグ端子１０の第３部位１０ｃに接続している。
【００３５】
図４は図１ないし図３に示されたシートベルト１内部の操作スイッチ２、プラグ端子１０の回路図である。
【００３６】
前述したように、オーディオ線７はプラグ端子１０の第１部位１０ａに接続され、配線端部２０ｇの導電体２０ｂはプラグ端子１０の第２部位１０ｂに接続され、配線端部２０ｇの導電体２０ｃはプラグ端子１０の第３部位１０ｃに接続されている。なお、プラグ端子１０の第３部位１０ｃはアース接続されるグランド端子である。
【００３７】
操作スイッチ２はいずれも複数個の押圧型スイッチ２３が並列接続されたスイッチ集合体であり、これらのスイッチ集合体間には抵抗部２０ｆが介在している。例えばスイッチ集合体間において、高比抵抗の材料をパターン成膜して抵抗部２０ｆを形成し、押圧型スイッチ２３の位置にある導電体２０ｂ同士をこの抵抗部２０ｆを介して接続する。あるいは、図３に示される積層体２０の導電体２０ｂのパターンをスイッチ集合体間において幅細にして、この幅細の部分を抵抗部２０ｆとすることもできる。抵抗部２０ｆの抵抗値は数１００Ωから数１００ｋΩであり、１．８ｋΩから２２ｋΩの範囲であることが好ましい。
【００３８】
例えば、選曲スイッチＧ２を構成する押圧型スイッチ２３のいずれかが接続状態になると、抵抗部２０ｆ一つ分の電圧降下がプラグ端子１０の第３部位１０ｃと第４部位１０ｄ（グランド端子）間に生じ、この電圧降下を携帯用機器側で読取ることによって、チャンネル切り換え操作が命じられたと解釈する。  
【００３９】
あるいは、早送り又は巻戻しスイッチＧ３を構成する押圧型スイッチ２３のいずれかが接続状態になると、抵抗部２０ｆ五つ分の電圧降下がプラグ端子１０の第３部位１０ｃと第４部位１０ｄ（グランド端子）間に生じ、この電圧降下を携帯用機器側で読取ることによって、音量調節操作が命じられたと解釈する。  
【００４０】
図５に示されるシートベルト１１は通常のシートベルトであるが、そのシートベルト１１を覆う操作部４０が設けられている。
【００４１】
操作部４０は保持部材４１に、選曲スイッチＧ１、Ｇ２、早送り又は巻戻しスイッチＧ３、Ｇ４、開始スイッチＧ５、停止スイッチＧ６を有する操作スイッチ２が設けられているものである。操作スイッチ２は例えばカーオーディオなどをリモート操作するものである。操作スイッチ２は、基板上に設けられた平面形状の導電体及び絶縁体からなる押圧型スイッチを有しており、この押圧型スイッチは図３に示された押圧型スイッチと同様の構造を有し、また図４に示された回路図と同様の回路により、プラグ端子１０に接続されている。
【００４２】
保持部材４１にはさらにオーディオ線７が設けられており、このオーディオ線７にイヤホン６が接続される。オーディオ線７もプラグ端子１０に接続される。
【００４３】
保持部材４１はシートベルト１１に沿って移動可能となっている。従って、使用者の使用状況や体格に応じて、操作スイッチ２やイヤホン６、イヤホン６とオーディオ線７の接続部５２をシートベルト１１上の任意の位置に配置することができる。
【００４４】
また、図に示されるように、シートベルト１には、スピーカ５０などの音声発生手段や携帯電話の着信を知らせる振動発生手段が設けられてもよい。振動発生手段は、例えば電磁気力によって振動子を振動させる振動発生装置５３がシートベルト１の表面又は内部に固定されるものである。或は、シートベルト１の巻き取り部４によるシートベルトの引っ張り張力を断続的に変化させてもよい。
【００４５】
また、シートベルト１にマイクロホン５１などの音声入力手段が設けられていてもよい。なお、マイクロホンを図６の保持部材４１に設けてもよい。
【００４６】
このように、装着者Ａの近傍にあるシートベルト１に、スピーカ５０などの出力手段やイヤホン６などの出力手段に接続される接続部５２が設けられていることが好ましい。 
【００４７】
なお、選曲スイッチＧ１、Ｇ２、早送り又は巻戻しスイッチＧ３、Ｇ４、開始スイッチＧ５、停止スイッチＧ６は必ずしも図４に示されたように並列に接続されていなくてよい。例えば、それぞれのスイッチにそれぞれ独立した導電線を配線してもよい。
【図面の簡単な説明】
【００４８】
【図１】本発明の固定用具の実施の形態としてシートベルトを示す模式図、
【図２】図１のシートベルトの部分分解斜視図、
【図３】図１のシートベルトの部分断面図、
【図４】図１ないし図３に示されたシートベルトの操作スイッチの回路図、
【図５】本発明の固定用具の実施の形態として操作部付きのシートベルトを示す模式図、
【図６】振動発生手段及びスピーカ、マイクロホンが設けられたシートベルトを示す模式図、
【符号の説明】
【００４９】
１、１１  シートベルト
６ イヤホン
７  オーディオ線
８ 外装部材
９ 支持部材
１０ プラグ端子
２０  積層体
２１ 保持部材
２２ 押圧部 
２３ 押圧型スイッチ
【図１】
2006076439.tif 000003
【図２】
2006076439.tif 000004
【図３】
2006076439.tif 000005
【図４】
2006076439.tif 000006
【図５】
2006076439.tif 000007
【図６】
2006076439.tif 000008